(57)【要約】【課題】誘引源交換時の捕虫できない時間を短くでき、誘引源交換の作業効率向上を図ることができるようにすること。【解決手段】捕虫器１０は、虫を誘引する第１及び第２発光源２１、２２を有する誘引手段１１と、帯状をなす基材シート１６Ａの一方の面に接着剤層１６Ｂが積層された捕虫シート１６を誘引手段１１の近傍に繰り出し可能に支持する支持手段１８と、誘引手段１１と支持手段１８とを支持するフレーム１４とを備えて構成されている。第２発光源２２は、予備としてフレーム１４に支持される。フレーム１４は、発光源２１、２２を収容可能な収容空間１３と、この収容空間１３からの発光源２１、２２の出し入れを案内する入換手段３３とを備えている。【選択図】図２
2011172493.tif 000002
【特許請求の範囲】
【請求項１】
虫を誘引する誘引源を有する誘引手段と、帯状をなす基材シートの一方の面に接着剤層が積層された捕虫シートを前記誘引手段の近傍に繰り出し可能に支持する支持手段と、前記誘引手段と支持手段とを支持するフレームとを備えた捕虫器であって、
前記誘引手段は、複数の誘引源を備え、これら誘引源のうち、少なくとも１の誘引源は予備として前記フレームに支持されることを特徴とする捕虫器。
【請求項２】
虫を誘引する誘引源を有する誘引手段と、帯状をなす基材シートの一方の面に接着剤層が積層された捕虫シートを前記誘引手段の近傍に繰り出し可能に支持する支持手段と、前記誘引手段と支持手段とを支持するフレームとを備えた捕虫器であって、
前記フレームは、誘引源を収容可能な収容空間と、この収容空間からの誘引源の出し入れを案内する入換手段とを備えていることを特徴とする捕虫器。
【請求項３】
前記誘引源は複数設けられ、
前記入換手段は、収容空間の内側と外側とでそれぞれ誘引源を支持し、内側の誘引源を収容空間外に配置させると同時に、外側の誘引源を収容空間内に配置させることが可能に設けられていることを特徴とする請求項２記載の捕虫器。
【請求項４】
前記誘引源は、通電することで誘引機能を発揮する部材により構成されるとともに、前記フレームは、収容空間内に配置させた誘引源だけに通電する通電手段を備えていることを特徴とする請求項２又は３記載の捕虫器。
【請求項５】
前記収容空間内に配置された誘引源を外気と遮断された密閉空間内に配置可能とする密閉手段を有することを特徴とする請求項２ないし４の何れかに記載の捕虫器。
【発明の詳細な説明】
【技術分野】
【０００１】
本発明は、捕虫器に係り、更に詳しくは、誘引源の交換を簡単に行うことができる捕虫器に関する。
【背景技術】
【０００２】
従来より、例えば、食品や粘着シート、精密機械等の製品に虫が混入することを防止するために捕虫器が利用され、かかる捕虫器としては、例えば、特許文献１に開示されている。特許文献１の捕虫器は、開口を有する箱状の筐体と、この筐体内に設けられて虫を誘引する誘引源としての発光源と、筐体の開口側に取り付けられるとともに、発光源からの発光により誘引された虫を接着して捕獲可能な捕虫シートと、筐体の開口側で捕虫シートをカバーするように装着された格子状部とを備えている。
【先行技術文献】
【特許文献】
【０００３】
【特許文献１】特開２００５−３０４３１２号公報
【発明の概要】
【発明が解決しようとする課題】
【０００４】
しかしながら、このような捕虫器にあっては、発光源が発光しなくなり、別の発光源に交換する場合、虫を捕獲できなくなる時間ができてしまい、製品へ虫が混入する確率が大きくなる、という不都合がある。更に、虫の誘引効果を高めるべく特殊な発光源を利用している場合、発光源の在庫がなくなると、次に発光源を入手するまでに時間が掛かってしまうため、製品へ虫が混入する確率が更に大きくなる、という不都合がある。
また、特許文献１の捕虫器では、発光源を交換する場合、格子状部を筐体から取り外す面倒な作業が不可欠となり、発光源の交換作業に非常に手間が掛かるという不都合を招来する。
【０００５】
［発明の目的］
本発明の目的は、誘引源の交換による捕虫できない時間を短くすることができ、当該交換の作業効率を高めることができる捕虫器を提供することにある。
【課題を解決するための手段】
【０００６】
前記目的を達成するため、本発明は、虫を誘引する誘引源を有する誘引手段と、帯状をなす基材シートの一方の面に接着剤層が積層された捕虫シートを前記誘引手段の近傍に繰り出し可能に支持する支持手段と、前記誘引手段と支持手段とを支持するフレームとを備えた捕虫器であって、
前記誘引手段は、複数の誘引源を備え、これら誘引源のうち、少なくとも１の誘引源は予備として前記フレームに支持される、という構成を採っている。
【０００７】
また、本発明は、虫を誘引する誘引源を有する誘引手段と、帯状をなす基材シートの一方の面に接着剤層が積層された捕虫シートを前記誘引手段の近傍に繰り出し可能に支持する支持手段と、前記誘引手段と支持手段とを支持するフレームとを備えた捕虫器であって、
前記フレームは、誘引源を収容可能な収容空間と、この収容空間からの誘引源の出し入れを案内する入換手段とを備える、という構成を採っている。
【０００８】
本発明において、前記誘引源は複数設けられ、
前記入換手段は、収容空間の内側と外側とでそれぞれ誘引源を支持し、内側の誘引源を収容空間外に配置させると同時に、外側の誘引源を収容空間内に配置させることが可能に設けられる、という構成を採ることが好ましい。
【０００９】
また、前記誘引源は、通電することで誘引機能を発揮する部材により構成されるとともに、前記フレームは、収容空間内に配置させた誘引源だけに通電する通電手段を備える、という構成も好ましくは採用される。
【００１０】
更に、前記収容空間内に配置された誘引源を外気と遮断された密閉空間内に配置可能とする密閉手段を有する、という構成を採用してもよい。
【発明の効果】
【００１１】
本発明によれば、予備の誘引源をフレームに支持させておくことができるので、誘引源が虫を誘引する機能を果たさなくなった場合、予備の誘引源に即座に交換することができる上、入手に時間の掛かる誘引源であっても、予備の誘引源を使用している間に入手しておけばよいので、誘引源の交換による捕虫できない時間を短くすることができる。
また、入換手段により収容空間からの誘引源の出し入れが案内されるので、従来のような格子状部等の取り外し及び取り付け作業を省略でき、作業時間の短縮化、労力の軽減を図ることが可能となる。
【００１２】
更に、入換手段により収容空間の内外に設けられた誘引源を入れ換え可能となるので、誘引源の交換をより一層迅速に行うことができる。
また、通電することで誘引機能を発揮する誘引源を採用した場合、通電手段によって収容空間内に配置させた誘引源だけに通電されるので、常時は、収容空間外の予備の誘引源の通電を停止した状態とすることができる。しかも、入換手段により予備の誘引源を収容空間内に配置すると同時に当該誘引源を機能させ、且つ、収容空間外の誘引源への通電を停止でき、誘引源の交換作業をできるだけ短時間で簡単に完了することが可能となる。
更に、密閉手段を有することで、誘引源を外気と遮断させることができ、例えば、誘引源が光を発光する蛍光灯等の電灯の場合、可燃性ガス等を取り扱う雰囲気（外気中）で電灯が割れたり、接点がショートしたりしても、可燃性ガスが爆発したり、火災が発生したりすることを防止することができ、所謂防爆タイプの捕虫器として使用することができる。
【図面の簡単な説明】
【００１３】
【図１】実施形態に係る捕虫器の概略正面断面図。
【図２】図１の右側面図。
【図３】図５のＢ−Ｂ断面Ｃ矢視図。
【図４】（Ａ）は、捕虫シートの正面図、（Ｂ）は、（Ａ）のＤ矢視断面図。
【図５】図１のＡ矢視における動作説明用断面図。
【図６】変形例に係る通電手段の図５と同様の説明図。
【発明を実施するための形態】
【００１４】
以下、本発明の実施の形態について図面を参照しながら説明する。
なお、本明細書及び特許請求の範囲において、方向若しくは位置を示す用語は、特に明示しない限り、図１を基準とし、「前」とは紙面直交方向手前側を示す一方、「後」とは、同奥行き側について用いられる。
また、「予備」とは、その部材が捕虫の機能を発揮する前の状態を意味する。
更に、「光」は、虫を誘引可能な波長の光であり、可視光線だけでなく紫外線等の不可視光線も含む概念として用いる。
【００１５】
図１〜図５において、捕虫器１０は、虫を誘引する誘引手段１１と、図１中縦長の箱状に形成されて内部に収納空間１３を有するフレーム１４と、誘引手段１１の近傍に繰り出される帯状の捕虫シート１６と、この捕虫シート１６を誘引手段１１の近傍に繰り出し可能に支持する支持手段１８とを備えて構成されている。
【００１６】
前記誘引手段１１は、収納空間１３の内側でフレーム１４に支持された誘引源としての第１発光源２１と、収納空間１３の外側でフレーム１４に支持された誘引源としての第２発光源２２とを備えている。なお、本実施形態の場合、第１及び第２発光源２１、２２として蛍光灯が採用され、通電することで虫を誘引可能な波長の光、例えば紫外線等の虫が好む光を発光して虫を誘引する機能を発揮するようになっている。
【００１７】
前記フレーム１４は、脚部材２４を介して立設されている。フレーム１４は、脚部材２４が連結される底面フレーム２６と、第１及び第２発光源２１、２２を支持する後面フレーム２７と、後面フレーム２７に対向する前面フレーム２８と、支持手段１８を上部領域で支持するとともに、面内に開口２９Ａをそれぞれ有する一対の側面フレーム２９と、支持手段１８の上方に設けられた頂面フレーム３０とを備え、これらフレーム２６〜３０の内側に収容空間１３が形成される。前面フレーム２８の収容空間１３側には、図５に示されるように、中央が後面フレーム２７側に膨出した形状に設けられるとともに、鏡面仕上げされたステンレス板等によって構成された反射板３１が設けられている。第１及び第２発光源２１、２２の何れか一方が収容空間１３内に配置されて虫を誘引する誘引機能が発揮されるようになっている。
【００１８】
前記後面フレーム２７は、第１及び第２発光源２１、２２の収納空間１３からの出し入れを案内可能な入換手段３３と、各発光源２１、２２に電力を供給するための通電手段３４とを備えている。
【００１９】
前記入換手段３３は、後面フレーム２７の面内に形成された開口部２７Ａ内に設けられる回転体３６と、この回転体３６の左右方向中央部における上下両側に設けられ、当該回転体３６を図５中矢印ｒ方向に回転可能に支持する支持軸３７とを備えている。回転体３６は板状をなし、一方の面すなわち図１の状態における前面側で第１発光源２１を、他方の面すなわち図１の状態における後面側で第２発光源２２を支持可能に設けられている。入換手段３３は、回転体３６を回転操作することにより、第１、第２発光源２１、２２を交互に収容空間１３の内側、外側に配置可能に設けられている。ここで、図５に示されるように、収容空間１３内に配置された第１又は第２発光源２１、２２を囲う位置には、誘引手段１１が発光する光を透過可能な密閉手段としてのカバー部材３９が設けられている。このカバー部材３９と後面フレーム２７と回転体３６とにより、収容空間１３内に配置された第１又は第２発光源２１、２２を外気と遮断された密閉空間内に配置することができる。これにより、この密閉空間内で第１又は第２発光源２１、２２を構成する蛍光灯が割れたり、この蛍光灯に通電するための接点がショートしたりしても、火花が外気に触れることはない。これにより、例えば、可燃性ガス等を取り扱うような雰囲気で当該捕虫器１０が使用された場合でも、可燃性ガスが爆発したり、火災を発生したりすることを防止することができ、所謂防爆タイプの捕虫器として使用することができる。なお、防爆タイプの捕虫器として使用する場合、回転体３６と後面フレーム２７との間に隙間ができないように、シール部材を設けることが好ましいい。
【００２０】
前記通電手段３４は、図５に示されるように、第１発光源２１に通電するための配線４１と、この配線４１に接続されるとともに、回転体３６右側面から突出する第１接点４２と、第２発光源２２に通電するための配線４３と、この配線４３に接続されるとともに、回転体３６左側面から突出する第２接点４４と、プラグ４６Ａを有する配線４６に接続されるとともに、開口部２７Ａの右側に設けられて第１又は第２接点４２、４４と嵌合し、通電可能な第３接点４７と、開口部２７Ａの左側に設けられて第３接点４７と同様の構成をなす保持部４８とを備えている。第１及び第２接点４２、４４は、図３に示されるように、それぞれ上下に並ぶ通電可能な２つの突起体５０により形成されている。第３接点４７及び保持部４８は、各突起体５０を上下から挟み込み可能な金属等の弾性体５１を備え、第３接点４７の弾性体５１だけが通電される。これにより、収容空間１３の内側に配置させた第１又は第２発光源２１、２２のみを発光可能になっている。
【００２１】
前記捕虫シート１６は、図４（Ａ）及び（Ｂ）に示されるように、帯状をなす基材シート１６Ａと、この基材シート１６Ａの一方の面（図４（Ｂ）中上面）に積層された接着剤層１６Ｂとからなる２層構造になっており、この接着剤層１６Ｂ側に剥離シート１６Ｃが仮着されている。基材シート１６Ａの短手方向両端、すなわち、図４中左右両端に沿う位置には、接着剤層１６Ｂを積層しない非接着領域１６Ｄがそれぞれ設けられている。
【００２２】
前記支持手段１８は、剥離シート１６Ｃが仮着されロール状に巻回された捕虫シート１６を支持する支持軸５５と、この支持軸５５の近傍に設けられた剥離手段５６及び巻取手段５７とを備えている。
【００２３】
前記剥離手段５６は、支持軸５５から繰り出された捕虫シート１６を下方向に導くガイドローラ５９と、剥離シート１６Ｃを上方向へ導く剥離用ローラ６０とを備えている。捕虫シート１６から剥離された剥離シート１６Ｃは、剥離用ローラ６０、ガイドローラ６１を経由して巻取手段５７へ案内される。また、剥離シート１６Ｃが剥離された捕虫シート１６は、ガイドローラ５９、フレーム１４の下方に配置された２個のローラ５３、及び、フレーム１４の上方に配置されたローラ６３を経由し、接着剤層１６Ｂを表出しつつ収容空間１３の内側に配置された第１又は第２発光源２１、２２の近傍、すなわち、図１に示されるように、収容空間１３の内側に配置された第１発光源２１をＵ字状に囲むように繰り出される。
【００２４】
前記巻取手段５７は、基材シート１６Ａ及び剥離シート１６Ｃの両方が巻回される単一の巻取軸６５と、この巻取軸６５に連結された操作ハンドル６６とを備え、この操作ハンドル６６を回すことで捕虫シート１６及び剥離シート１６Ｃの巻き取りを同時に行えるようになっている。
【００２５】
図１の状態において、前記捕虫器１０は、コンセント等にプラグ４６Ａを差し込むと、配線４６、第３接点４７、第１接点４２及び配線４１を介して収容空間１３の内側に配置された第１発光源２１に通電され、当該第１発光源２１が発光する。このとき、第２発光源２２に接続された第２接点４４は保持部４８に保持され、通電は行われない。第１発光源２１の光は、カバー部材３９及び捕虫シート１６を透過して外部に発せられる。その光に誘引されて飛来した虫は、捕虫シート１６の接着剤層１６Ｂに接着して捕獲される。
【００２６】
そして、一定期間が経過すると、図１に示されるように、操作ハンドル６６を矢印Ｒ１方向に回転操作する。これにより、巻取軸６５が回転して捕虫シート１６が引っ張られて支持軸５５がＲ２方向に回転され、未使用の捕虫シート１６が第１発光源２１を囲むように繰り出される。
【００２７】
ここで、第１の発光源２１の発光が減衰した場合や、発光しなくなった場合、第１の発光源２１と第２発光源２２との入れ換えを行う。この場合、回転体３６を図５中矢印ｒ方向に１８０°回転させればよい。この回転によって、第１発光源２１が収容空間１３外に、第２発光源２２が収容空間１３内に配置されることとなる。そして、保持部４８に第１接点４２が嵌合される一方、第３接点４７に第２接点４４が嵌合され、収容空間１３内の第２発光源２２だけに通電が行われて発光することとなる。これにより、第１、第２発光源２１、２２の入れ換えを即座に行え、間髪いれずに収容空間１３内に配置された第２発光源２２だけを発光されることができ、発光源の交換による捕虫できない時間を短くすることができ、当該交換の作業効率を高めることができる。その後、収容空間１３外に取り出された第１発光源２１を別の新たな発光源と交換しておくことができる。
【００２８】
従って、このような実施形態によれば、第１発光源２１が発光しなくなっても、第２発光源２２に極めて短時間で簡単に交換することができる。これにより、発光源の交換のための作業負担を軽減することができる他、発光せずに虫を誘引不能となる時間を短くすることができ、捕虫効果をより一層高めることが可能となる。
【００２９】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、前記実施形態では、誘引源として蛍光灯が採用された場合を説明したが、誘引源として虫が好む匂いや音を発生するものや、吸引エアによって虫を引寄せる（誘引する）もの等を採用してもよい。
虫が好む匂いを発生する誘引源の場合、密閉袋や密閉箱等を開封せずに虫を誘引する機能を発揮する前の状態が予備を意味する。この虫が好む匂いを発生する誘引源の場合、通電手段は必ずしも必要でないが、通電手段で通電することで、例えば熱を加えて匂いを積極的に拡散するようにしてもよい。
吸引エアによって虫を引寄せる誘引源の場合、例えば回転ファンが回転して虫を誘引する機能を発揮する前の状態が予備を意味する。
【００３１】
また、第１及び第２発光源２１、２２の設置数は限定されるものでなく、少なくとも一方を複数としてもよい。また、各発光源２１、２２は、環状の蛍光灯や電球、ＬＥＤ（発光ダイオード）等の他の発光源によって構成してもよい。
【００３２】
更に、入換手段３３及び通電手段３４は、種々の設計変更が可能であり、例えば、回転体３６を左右方向一端側で軸支して片開き扉とするとともに、第２接点４４や配線４３、保持部４８を省略した構成としてもよい。このような構成では、第１発光源２１を第２発光源２２に交換する場合、回転体３６を回転して収容空間１３外に第１発光源２１を配置させた後、当該第１発光源２１を回転体３６から取り外す。そして、回転体３６の後面で支持された第２発光源２２を回転体３６の前面に支持させてから、回転体３６を回転して第２発光源２２を収容空間１３内に配置させる。
また、入換手段３３を省略し、且つ、第２発光源２２を通電されない予備として収容空間１３の内側或いは外側でフレーム１４に支持するようにしてもよい。
【００３３】
また、通電手段３４は、図６に示される構成に代替してもよい。同図において、第１及び第２接点４２、４４は、回転体３６の側面から出没可能なボールプランジャ７０によりそれぞれ構成されている。第３接点４７は、ボールプランジャ７０に嵌り合う凹部７１により形成されている。
【００３４】
更に、巻取軸６５を２本設け、使用済みの捕虫シート１６と、剥離シート１６Ｃとを別々の巻取軸６５で巻き取りしてもよい。
また、前記実施形態では、２面体である板状の回転体３６の２面を採用して第１又は第２発光源２１、２２を収容空間１３内に配置する構成としたが、回転体３６を３面体以上のものに代替えすれば、予備の発光源を２個以上備えることができる。
【符号の説明】
【００３５】
１０  捕虫器
１１  誘引手段
１３  収容空間
１４  フレーム
１６  捕虫シート
１６Ａ  基材シート
１６Ｂ  接着剤層
１８  支持手段
２１  第１誘引源（誘引源）
２２  第２誘引源（誘引源）
３３  入換手段
３４  通電手段
３９  カバー部材（密閉手段）
【図１】
2011172493.tif 000003
【図２】
2011172493.tif 000004
【図３】
2011172493.tif 000005
【図４】
2011172493.tif 000006
【図５】
2011172493.tif 000007
【図６】
2011172493.tif 000008